(57)【要約】【課題】  ビデオカメラなどの電子機器の金属部品にはハム音や静電気対策のシールド部材や照明光を反射する光反射部材や外観品位を向上させるための装飾部材などがあり、多くの部品が必要で、コスト高、小型化の障害、組立工数の増加になる。【解決手段】  照明手段と、前記照明手段の照明光を反射する光反射部と、マイクエレメントと、  前記マイクエレメントの前面を覆うマイク保護部とを有し、前記光反射部とマイク保護部とをプラメッキ部品としたことを特徴とする電子機器。【選択図】  図３
2007174200.tif 000002
【特許請求の範囲】
【請求項１】
照明手段と、
前記照明手段の照明光を反射する光反射部と、
マイクエレメントと、
前記マイクエレメントの前面を覆うマイク保護部とを有し、
前記光反射部とマイク保護部とをプラメッキ部品としたことを特徴とする電子機器。
【請求項２】
レンズ部と、
照明手段と、
前記レンズ部に対して第１の方向に設けられた、前記照明手段の照明光を反射する光反射部と、
マイクエレメントと、
レンズ部に対して、前記第１の方向に実質的に垂直な第２の方向に設けられた、前記マイクエレメンの前面を覆うマイク保護部とを有し、
前記光反射部とマイク保護部とをプラメッキ部品としたことを特徴とする電子機器。
【請求項３】
請求項１又は２において、前記電子機器の上面の一部を前記プラメッキ部品としたことを特徴とする電子機器。
【発明の詳細な説明】
【技術分野】
【０００１】
本発明は照明部とマイクエレメントとを有する電子機器に関する。
【背景技術】
【０００２】
従来のビデオカメラ等の電子機器にはマイクの前面にシールド効果のある金属板を配置しハム音ノイズの発生を防止したものがある。特許文献１には、マイクエレメント６の前にシールド効果の高い金属の放熱板１０を配置し、さらにその前に外観となるマイクネット９を配置したビデオカメラの構成が示されている。これによりハム音の発生を防止し正常に音声の記録を行うことが出来るとしている。このビデオカメラは照明手段を有していない。また、従来のカメラには、ストロボの放電管収納室をプラスチックで成形し、その内壁面をメッキしたものがある。特許文献２には、ユニットケース２０内のストロボ収納室２３のリフレクタ２７にメッキ層２６が付いた構成が示されており、これにより金属部品が削減されコストダウンになるとしている。しかし、このカメラは録音手段に関しては言及がない。
【特許文献１】特開２０００−２４４７８７（第５頁、図１）
【特許文献２】特開平３−２９０６３５（第４頁、図１）
【発明の開示】
【発明が解決しようとする課題】
【０００３】
従来から、ビデオカメラの構成部品には材質が金属である必要のある部品がいくつかある。
【０００４】
例えば、種々のノイズの発生や静電気による素子の破損を防止するシールド部材としての部品やストロボやＬＥＤなどの照明光を反射するための光沢面を有する光反射部材としての部品や外観品位を向上させるための装飾部材としての部品などである。金属部品は形状的に複雑なものは加工が困難なので、プレス加工した機能部品として内部に配置し、外観形状部はプラスチック部品としたり特に装飾的に金属外観が必要な場合はコストをかけて金属のダイカスト加工などをしている。また、プラスチックにメッキを施す所謂プラメッキが行われているが、プラスチック成形後にメッキ工程を追加で行うのでコストがかかるため多用することは避けなければならない。
【０００５】
上述のように、シールド機能、光反射機能、装飾機能のために多くの部品が必要で部品点数の増加により、コスト高となり、また小型化の障害、組立工数の増加にもなっている。
【課題を解決するための手段】
【０００６】
上述の課題を解決するため、照明手段と、前記照明手段の照明光を反射する光反射部と、
マイクエレメントと、前記マイクエレメントの前面を覆うマイク保護部とを有し、前記光反射部とマイク保護部とをプラメッキ部品としたことを特徴とする電子機器を提供する。
【発明の効果】
【０００７】
本発明によれば、マイクエレメントの前面を金属メッキされたプラスチックからなるプラメッキ部品で覆っているので、指が近づいた場合でもハム音ノイズの発生がなく、また静電気が発生した場合でも回路上の素子が保護される。また、このプラメッキ部品は照明光を反射する光反射部も有するので、照明光の反射も可能で別途反射部品を設けることなく高価なプラメッキ部品や金属部品の点数削減となり、コスト低減を実現すると共に小型化や組立工数削減にも寄与する。さらに、このプラメッキ部品は前述のマイク保護部、光反射部とは別の装飾的外観部をも有するので更なる部品点数削減、コスト低減となる。
【０００８】
以上のように、金属部品の機能としてのシールド機能、表面の金属光沢による光反射機能および装飾機能をひとつのプラメッキ部品で実現しており、非常に高付加価値の部品となっている。
【発明を実施するための最良の形態】
【０００９】
（実施例１）
以下、本発明の実施の形態を図面を用いて説明する。
【００１０】
図１は本発明を実施したビデオカメラの外観を表した図で、本カメラはマイクエレメントを含む録音手段と白色ＬＥＤによる照明手段を有している。１は撮影部で撮影レンズとその焦点面にＣＣＤ等の撮像素子が配置されている。２はカセット蓋で中には録画のためのテープデッキが配置されている。３はフロントカバーで前面を保護している。４は本発明による多機能プラメッキ部品で前面下部にマイクによる録音のための複数の開口が開けられると共に静電気やハム音ノイズからマイクを保護するマイク保護部４ａがある。５はＬＥＤ窓でこの内部に白色ＬＥＤ、投光レンズが配置され、白色ＬＥＤの前面側、投光レンズの周囲には前記多機能プラメッキ部品の光反射部が配置形成されている。４ｂは本体上面前側にレイアウトされた装飾的外観部でこれも前記多機能プラメッキ部品の一部で形成されている。
【００１１】
図２は前記ビデオカメラの白色ＬＥＤによる照明部とマイク周りの録音部の断面を表した図で５は前記ＬＥＤ窓で内部には基板６上に白色ＬＥＤ７が実装されている。白色ＬＥＤの前には投光レンズ８が配置されており照明光を集光する。投光レンズの周囲は前記多機能プラメッキ部品４の一部で形成された光反射部４ｃが配置形成されている。白色ＬＥＤから投光された照明光のうち投光レンズ側面から出てきた光は前期光反射部４ｃで反射して投光レンズ正面から投光される。９はマイクエレメントでマイク保護部４ａの開口に対応する位置にステレオで左右に二個配置され筐体の振動が伝わらないようゴム部品１０に支えられている。
【００１２】
図３、図４は、本発明実施例の主要部品配置を斜め後ろから見た斜視図で１１はホルダーでプレスの金属部品からなり、基板６のビス穴６ａを通してビスで締結され基板上の回路のグランド電位と同電位となる。多機能プラメッキ部品４には圧接部４ｄが形成され、組立状態では図４に示すホルダーの圧接部１１ａと接触して多機能プラメッキ部品４のメッキ表面が全部グランド電位となる。
【００１３】
以上説明したビデオカメラの構成に於いて、前記多機能プラメッキ部品４について詳しく説明する。マイク保護部４ａはマイクエレメントと外部との間に位置し、上述したように回路のグランドと同電位になっている。そのため、静電気はマイクエレメントに落ちずに多機能プラメッキ部品のメッキ表面を通して直接グランドに落ちることになり、回路素子の破損を防止している。また、撮影者の指がマイクエレメントに近づいた場合に発生するハム音ノイズもグランド電位によるシールド効果で防止される。光反射部４ｃは白色ＬＥＤの前方に配置された投光レンズ８の側面周囲に配置されレンズから漏れた光線を金属光沢表面の光反射機能により、反射して前方に投光する。さらに、装飾的外観部４ｂは前記レンズ保護部、光反射部とは別に本体上面前方に配置され、金属光沢による装飾的アクセントとなっている。このように、多機能プラメッキ部品４は金属部品の機能としてのシールド機能、表面の金属光沢による光反射機能および装飾機能をひとつの部品で実現している。それにより、非常に高付加価値の部品となっていて、部品点数削減、小型化、組立工数削減効果があり、コスト削減にも寄与している。
【図面の簡単な説明】
【００１４】
【図１】本発明を実施したビデオカメラの全体図
【図２】本発明を実施したビデオカメラの主要部断面図
【図３】本発明を実施したビデオカメラの主要部斜視図
【図４】本発明を実施したビデオカメラの主要部斜視図
【符号の説明】
【００１５】
１  撮影部
２  カセット蓋
３  フロントカバー
４  多機能プラメッキ部品
４ａ  マイク保護部
４ｂ  装飾的外観部
４ｃ  光反射部
５  ＬＥＤ窓
６  基板
７  白色ＬＥＤ
８  投光レンズ
９  マイクエレメント
１０  ゴム部品
１１  ホルダー
【図１】
2007174200.tif 000003
【図２】
2007174200.tif 000004
【図３】
2007174200.tif 000005
【図４】
2007174200.tif 000006